(57)【要約】【課題】テレビ用配線器具の施工後にＢＳチューナ内臓テレビを移動しても簡単な操作でＢＳアンテナの電波を受信できるようなテレビ用配線器具の提供。【解決手段】ＢＳアンテナが受信した電波を入力する入力端子２と、第１の出力端子３と、第２の出力端子４と、入力端子２からの電波の大きさを変えて第１の出力端子３及び第２の出力端子４に出力する電波処理回路５と、を備えたテレビ用配線器具１において、直流電流通過経路と切替部６とを有し、切替部６は、入力端子２と第１の出力端子３の間又は入力端子２と第２の出力端子３の間のどちらか一方に直流電流通過経路できるように切り替えるものである。【選択図】  図１
2004336176.tif 000002
【特許請求の範囲】
【請求項１】
ＢＳアンテナが受信した電波を入力する入力端子と、第１の出力端子と、第２の出力端子と、入力端子からの電波の大きさを変えて第１の出力端子及び第２の出力端子に出力する電波処理回路と、を備えたテレビ用配線器具において、直流電流通過経路と切替部とを有し、切替部は、入力端子と第１の出力端子の間又は入力端子と第２の出力端子の間のどちらか一方に直流電流通過経路を形成するように切り替えるものであることを特徴とするテレビ用配線器具。
【請求項２】
電波処理回路は、第１の出力端子又は第２の出力端子のどちらか一方の出力端子に入力端子からの電波の減衰を少ないように出力し、他方の出力端子に入力端子からの電波の減衰を大きいように出力するものであることを特徴とする請求項１記載のテレビ用配線器具。
【請求項３】
電波処理回路は、入力端子からの電波の大きさを１／２の大きさにして第１の出力端子及び第２の出力端子に出力するものであることを特徴とする請求項１記載のテレビ用配線器具。
【請求項４】
ボディブロックを備え、ボディブロックは略直方体状の金属筐体からなり内部には電波処理回路と切替部とを有し、前面には操作部を有するスライドスイッチと第１の出力端子又は第２の出力端子のいずれか一方とを有し、下面には入力端子と他方の出力端子とを有し、スライドスイッチは操作部をスライド操作することにより切替部において入力端子と第１の出力端子の間又は入力端子と第２の出力端子の間のどちらか一方に直流電流通過経路を形成するように切り替えるものであることを特徴とする請求項２記載のテレビ用配線器具。
【請求項５】
表示部付スイッチカバーを有し、表示部付スイッチカバーはスライドスイッチの操作部のスライド操作に応じて切替部が入力端子と第１の出力端子又は第２の出力端子のどちらに直流電流通過経路を形成しているかを表示するものであることを特徴とする請求項４記載のテレビ用配線器具。
【請求項６】
第１の出力端子又は第２の出力端子のどちらか一方の出力端子の直流電圧を検出する電圧検出部を有し、切替部において電圧検出部が直流電圧を検出すれば直流電圧を検出した方の出力端子と入力端子との間に直流電流通過経路を形成するように切り替え、電圧検出部が直流電圧を検出しなければ他方の出力端子と入力端子との間に直流電流通過経路を形成するように切り替えるものであることを特徴とする請求項１乃至請求項３いずれかに記載のテレビ用配線器具。
【請求項７】
第１の出力端子及び第２の出力端子の直流電圧を検出する電圧検出部を有し、切替部は電圧検出部が直流電圧を検出した出力端子と入力端子との間に直流電流通過経路を形成するように切り替えるものであることを特徴とする請求項１乃至請求項３いずれかに記載のテレビ用配線器具。
【発明の詳細な説明】
【０００１】
【発明の属する技術分野】
本発明は、ＢＳ放送受信システムで使用するテレビ用配線器具に関するものである。
【０００２】
【従来の技術】
従来のＢＳ放送受信システムで使用するテレビ用配線器具としては、図８に示すような送り配線用と、図９に示すような送り配線端末用と、図１０に示すような分配配線用がある。また、このＢＳ放送受信システムでは、ＢＳアンテナを動作させるため直流電圧が必要である。ＢＳアンテナを動作させるための直流電圧は、テレビ用配線器具に接続されるＢＳチューナ又はＢＳチューナ内蔵テレビより供給される。
【０００３】
送り配線用のテレビ用配線器具１０１ａは、図８（ａ）、（ｂ）に示すように、入力端子１０２ａと、第１の出力端子であるテレビ接続口１０３ａと、第２の出力端子である送り端子１０４ａと、分岐回路１０５ａと、を備えている。入力端子１０２ａは、アンテナが受信した電波を入力するための端子である。テレビ接続口１０３ａは、テレビやＢＳチューナ内臓テレビ等と接続するための端子である。送り端子１０４ａは、別のテレビ用配線器具１０１と接続するための端子である。分岐回路１０５ａは、入力端子１０２ａからの電波をテレビ接続口１０３ａへ減衰を大きくして出力し、入力端子１０２ａからの電波を送り端子１０４ａへ減衰を少なくして出力するものである。
【０００４】
このテレビ用配線器具１０１ａの分岐回路１０５ａには、直流電流通過経路が形成されていない。従って、分岐回路１０５ａとは別に、図８（ａ）、（ｂ）の破線で示すような直流電流通過経路を、入力端子１０２ａとテレビ接続口１０３ａの間、又は、入力端子１０２ａと送り端子１０４ａの間のどちらか一方に形成している。
【０００５】
また、送り配線端末用のテレビ用配線器具１０１ｂは、図９に示すように、入力端子１０２ｂと、出力端子であるテレビ接続口１０３ｂと、減衰回路１０５ｂと、を備えている。入力端子１０２ｂは、アンテナが受信した電波を入力するための端子である。テレビ接続口１０３ｂは、テレビやＢＳチューナ内臓テレビ等と接続するための端子である。減衰回路１０５ｂは、入力端子１０２ｂからの電波をテレビ接続口１０３ｂへ減衰させて出力する。
【０００６】
このテレビ用配線器具１０１ｂの減衰回路１０５ｂには、直流電流通過経路が形成されていない。従って、減衰回路１０５ｂとは別に、図９の破線で示すような直流電流通過経路を、入力端子１０２ｂとテレビ接続口１０３ｂの間に形成している。
【０００７】
また、分配配線用のテレビ用配線器具１０１ｃは、図１０に示すように、入力端子１０２ｃと、第１の出力端子である第１のテレビ接続口１０３ｃと、第２の出力端子である第２のテレビ接続口１０４ｃと、分配回路１０５ｃと、を備えている。入力端子１０２ｃは、アンテナが受信した電波を入力するための端子である。第１のテレビ接続口１０３ｃ及び第２のテレビ接続口１０４ｃは、テレビやＢＳチューナ内臓テレビ等と接続するための端子である。分配回路１０５ｃは、入力端子１０２ｃからの電波の大きさを１／２にして第１のテレビ接続口１０３ｃ及び第２のテレビ接続口１０４ｃに出力するものである。
【０００８】
このテレビ用配線器具１０１ｃの分配回路１０５ｃには、直流電流通過経路が形成されていない。従って、分配回路１０５ｃとは別に、図１０（ａ）、（ｂ）の破線で示すような直流電流通過経路を、入力端子１０２ｃと第１のテレビ接続口１０３ｃの間、又は、入力端子１０２ｃと第２のテレビ接続口１０４ｃの間のどちらか一方に形成している。
【０００９】
次に、送り配線用であるテレビ用配線器具１０１ａと、送り配線端末用であるテレビ用配線器具１０１ｂと、を備えたＢＳ放送受信システムを図１１に基づいて説明する。
【００１０】
ＵＨＦアンテナ２０２及びＶＨＦアンテナ２０３で受信された電波は、同軸ケーブル線８を介してＵＶ混合器２１２で混合される。また、ＢＳアンテナ２０１で受信した電波は、同軸ケーブル線８を介してＢＳ／ＵＶ混合器２１１で前記ＵＶ混合器２１２で混合された電波と混合される。このＢＳ／ＵＶ混合器２１１で混合された電波は、同軸ケーブル線８を介してテレビ用配線器具１０１ａの入力端子１０２ａに入力される。テレビ用配線器具１０１ａの分岐回路１０５ａは、入力端子１０２ａからの電波を送り端子１０４ａへ減衰を少なくして出力し、入力端子１０２ａからの電波をテレビ接続口１０３ａへ減衰を大きくして出力する。そして、テレビ接続口１０３ａには、ＢＳチューナ内臓テレビ２２１が同軸ケーブル線８を介して接続されている。また、送り端子１０４ａより、送り配線端末用のテレビ用配線器具１０１ｂの入力端子１０２ｂに同軸ケーブル線８を介して接続されている。
【００１１】
このＢＳ放送受信システムでは、システム設計時又はテレビ用配線器具の施工時に、ＢＳアンテナ２０１に直流電圧を供給するためにテレビ用配線器具１０１ａの直流電流通過経路を決める必要がある。すなわち、テレビ用配線器具１０１ａのテレビ接続口１０３ａにＢＳチューナ内臓テレビ２２１を接続した場合は、入力端子１０２ａとテレビ接続口１０３ａの間に直流電流通過経路を形成しているテレビ用配線器具１０１ａを使用する。また、テレビ用配線器具１０１ｂのテレビ接続口１０３ｂにＢＳチューナ内臓テレビ２２１を接続（図示せず）した場合は、入力端子１０２ａと送り端子１０４ａの間に直流電流通過経路を形成しているテレビ用配線器具１０１ａを使用する。
【００１２】
なお、ＢＳ／ＵＶ混合器２１１は、直流電流通過経路を有している。従って、入力端子１０２ａとＢＳアンテナ２０１との間は、直流電流通過経路が形成されている。
【００１３】
次に、分配配線方式であるテレビ用配線器具１０１ｃを備えたＢＳ放送受信システムを図１２に基づいて説明する。
【００１４】
ＵＨＦアンテナ２０２及びＶＨＦアンテナ２０３で受信された電波は、同軸ケーブル線８を介してＵＶ混合器２１２で混合される。また、ＢＳアンテナ２０１で受信した電波は、同軸ケーブル線８を介してＢＳ／ＵＶ混合器２１１で前記ＵＶ混合器２１２で混合された電波と混合される。このＢＳ／ＵＶ混合器２１１で混合された電波は、同軸ケーブル線８を介してテレビ用配線器具１０１ｃの入力端子１０２ｃに入力される。このテレビ用配線器具１０１ｃの分配回路１０５ｃは、入力端子１０２ｃに入力された電波を１／２の大きさにして第１のテレビ接続口１０３ｃ、第２のテレビ接続口１０４ｃに出力している。
【００１５】
このシステムでは、システム設計時又はテレビ用配線器具の施工時に、ＢＳアンテナ２０１に直流電圧を供給するためにテレビ用配線器具１０１ｃの直流電流通過経路を決める必要がある。すなわち、テレビ用配線器具１０１ｃの第１のテレビ接続口１０３ｃにＢＳチューナ内臓テレビ２２１を接続した場合は、入力端子１０２ｃと第１のテレビ接続口１０３ｃの間に直流電流通過経路があるテレビ用配線器具１０１ｃを使用する。また、第２のテレビ接続口１０４ｃにＢＳチューナ内臓テレビ２２１を接続した場合は、テレビ用配線器具１０１ｃの入力端子１０２ｃと第２のテレビ接続口１０４ｃの間に直流電流通過経路があるテレビ用配線器具１０１ｃを使用する。
【００１６】
なお、ＢＳ／ＵＶ混合器２１１は、直流電流通過経路を有している。従って、入力端子１０２ｃとＢＳアンテナ２０１との間は、直流電流通過経路が形成されている。
【００１７】
また、他のテレビ用配線器具としては、特開２００２−２２２６８０号公報に記載されているものがある。このテレビ用配線器具１０１ｄは、図１３に示すように、略直方体状であって、金属筐体からなる本体ブロック１１２ｄと、前面に開口部（図示せず）を有し且つ後面開口（図示せず）して本体ブロック１１２ｄの前面側に被着する第１のカバー部１１３ｄと、第１のカバー部１１３ｄの開口部（図示せず）に被着する第２のカバー部１１４ｄと、を備えている。そして、本体ブロック１１２ｄには、同軸ケーブル線８のアース導体が接続される接地部及び同軸ケーブル線８の芯線が接続される導体部を備えたＦ型接栓からなる入力端子１０２ｄとＦ型接栓からなる第１の出力端子１０３ｄとＦ型接栓からなる第２の出力端子１０４ｄとフィルター手段（図示せず）と分岐回路（図示せず）とが設けられている。テレビ用配線器具１０１ｄの分岐回路は、入力端子１０２ｄからの電波を第１の出力端子１０３ｄへ減衰を大きくして出力し、入力端子１０２ｄからの電波を第２の出力端子１０４ｄへ減衰を少なくして出力する。また、フィルター手段は、第１の出力端子１０３ｄにテレビ等を接続した場合、第１の出力端子１０３ｄから入力するテレビ等が発生した雑音を遮断している。このテレビ用配線器具１０１ｄの直流電流通過経路は、図８と同様に、入力端子１０２ｄと第１の出力端子１０３ｄとの間、又は、入力端子１０２ｄと第２の出力端子１０４ｄとの間のどちらか一方に形成されている。
【００１８】
【特許文献１】
特開２００２−２２２６８０号公報
【００１９】
【発明が解決しようとする課題】
図８、図１０で説明した従来技術、及び特開２００２−２２２６８０号公報に記載されているテレビ用配線器具では、直流電流通過経路が入力端子と第１の出力端子との間、又は、入力端子と第２の出力端子との間のどちらか一方にしか形成されていない。従って、ＢＳチューナ内臓テレビ又はＢＳチューナからＢＳアンテナに直流電圧を供給するためにはテレビ用配線器具のシステム設計時又はテレビ用配線器具の施工時にテレビ用配線器具の直流電流通過経路を決めておく必要がある。
【００２０】
しかし、テレビ用配線器具のシステム設計時又はテレビ用配線器具の施工時にテレビ用配線器具の直流電流通過経路を決めた場合であっても、テレビ用配線器具の施工後にＢＳチューナ内臓テレビ又はＢＳチューナを移動させると、テレビ用配線器具の直流電流通過経路がなくなり、ＢＳアンテナに直流電源を供給することができなくなり、ＢＳアンテナ２０１が動作せず、ＢＳアンテナ２０１が電波を受信できなくなる場合がある。
【００２１】
例えば、図１１に示すシステムにおいて、テレビ用配線器具の施工段階でテレビ用配線器具１０１ａのテレビ接続口１０３ａにＢＳチューナ内臓テレビ２２１を接続するように決めていたものをテレビ用配線器具１０１ａ、１０１ｂの施工後にＢＳチューナ内臓テレビ２２１をテレビ用配線器具１０１ｂのテレビ接続口１０３ｂに接続を変更した場合、テレビ用配線器具１０１ａの直流電流通過経路は、入力端子１０２ａとテレビ接続口１０３ａとの間に形成されており、入力端子１０２ａと送り端子１０４ａの間には形成されていない。この場合は、テレビ接続口１０３ｂからＢＳアンテナ２０１までの直流電流通過経路がないためＢＳアンテナ２０１に直流電源を供給することができなくなり、ＢＳアンテナ２０１が動作せず、ＢＳアンテナ２０１が電波を受信できなくなる。従って、ＢＳアンテナ２０１を動作させるためには、テレビ用配線器具１０１ａを所望の直流電流通過経路を有するテレビ用配線器具に付け替えなければならなかった。
【００２２】
本発明は、かかる事由に鑑みてなしたものであり、その目的とするところは、テレビ用配線器具の施工後にＢＳチューナ内臓テレビを移動しても簡単な操作でＢＳアンテナが電波を受信できるようなテレビ用配線器具を提供することにある。
【００２３】
【課題を解決するための手段】
上記問題点を解決するため、請求項１記載の発明にあっては、ＢＳアンテナが受信した電波を入力する入力端子と、第１の出力端子と、第２の出力端子と、入力端子からの電波の大きさを変えて第１の出力端子及び第２の出力端子に出力する電波処理回路と、を備えたテレビ用配線器具において、直流電流通過経路と切替部とを有し、切替部は、入力端子と第１の出力端子の間又は入力端子と第２の出力端子の間のどちらか一方に直流電流通過経路を形成するように切り替えるものである。
【００２４】
請求項２記載の発明にあっては、請求項１の構成において、電波処理回路は、第１の出力端子又は第２の出力端子のどちらか一方の出力端子に入力端子からの電波の減衰を少ないように出力し、他方の出力端子に入力端子からの電波の減衰を大きいように出力するものである。
【００２５】
請求項３記載の発明にあっては、請求項１の構成において、電波処理回路は、入力端子からの電波の大きさを１／２の大きさにして第１の出力端子及び第２の出力端子に出力するものである。
【００２６】
請求項４記載の発明にあっては、請求項２の構成において、ボディブロックを備え、ボディブロックは略直方体状の金属筐体からなり内部には電波処理回路と切替部とを有し、前面にはスライドスイッチと第１の出力端子又は第２の出力端子のいずれか一方とを有し、下面には入力端子と他方の出力端子とを有し、スライドスイッチは切替部において入力端子と第１の出力端子の間又は入力端子と第２の出力端子の間のどちらか一方に直流電流通過経路を形成するように切り替えるものである。
【００２７】
請求項５記載の発明にあっては、請求項４の構成において、表示部付スイッチカバーを有し、表示部付スイッチカバーはスライドスイッチの操作に応じて切替部が入力端子と第１の出力端子又は第２の出力端子のどちらに直流電流通過経路を形成しているかを表示するものである。
【００２８】
請求項６記載の発明にあっては、請求項１乃至請求項３のいずれかの構成において、第１の出力端子又は第２の出力端子のどちらか一方の出力端子の直流電圧を検出する電圧検出部を有し、切替部において電圧検出部が直流電圧を検出すれば直流電圧を検出した方の出力端子と入力端子との間に直流電流通過経路を形成するように切り替え、電圧検出部が直流電圧を検出しなければ他方の出力端子と入力端子との間に直流電流通過経路を形成するように切り替えるものである。
【００２９】
請求項７記載の発明にあっては、請求項１乃至請求項３のいずれかの構成において、第１の出力端子及び第２の出力端子の直流電圧を検出する電圧検出部を有し、切替部は電圧検出部が直流電圧を検出した出力端子と入力端子との間に直流電流通過経路を形成するように切り替えるものである。
【００３０】
【発明の実施の形態】
（第１の実施形態）
第１の実施形態のテレビ用配線器具１を、図１、図２、図３に基づいて説明する。このものは、入力端子２と、第１の出力端子であるテレビ接続口３と、第２の出力端子である送り端子４と、電波処理回路である分岐回路５と、切替部６と、チョークコイル１１と、第１のコンデンサ１２と、第２のコンデンサ１３と、第３のコンデンサ１４と、ボディブロック２１と、カバー部３１と、スライドスイッチ４１と、を備えている。
【００３１】
入力端子２は、アンテナが受信した電波を入力するための端子である。
【００３２】
テレビ接続口３は、後述する分岐回路５が処理した電波を出力するとともに、同軸ケーブル線８を介してテレビやＢＳチューナ内臓テレビ２２１等と接続するための端子である。
【００３３】
送り端子４は、分岐回路５が処理した電波を出力するとともに、同軸ケーブル線８を介して別のテレビ用配線器具と接続するための端子である。
【００３４】
分岐回路５は、入力端子２からの電波をテレビ接続口３から減衰量を大きくして出力し、入力端子２からの電波を送り端子４から減衰を小さくして出力するものである。例えば、入力端子２からの電波をテレビ接続口３からは約１０ｄＢ減衰させて出力させる。また、入力端子２からの電波を送り端子４からは約１ｄＢ減衰させて出力させる。
【００３５】
切替部６は、入力端子２とテレビ接続口３、又は、入力端子２と送り端子４の間に直流電流通過経路を形成するために、図１で示すように、入力端子２と接続しているチョークコイル１１の他端とテレビ接続口３又は送り端子４のどちらか一方に接続を切り替えるものである。
【００３６】
チョークコイル１１は、入力端子２とテレビ接続口３、又は、入力端子２と送り端子４の間の直流電流通過経路に交流的なインピーダンスを設けることにより、アンテナからの電波が直流電流通過経路を介してテレビ接続口３又は送り端子４に伝達しないようにしている。
【００３７】
ボディブロック２１は、略直方体状の金属筐体からなり内部（図示せず）には、分岐回路５と、切替部６と、チョークコイル１１と、第１のコンデンサ１２と、第２のコンデンサ１３と、第３のコンデンサ１４と、を有し、前面には、図２（ｂ）に示すように、後述するスライドスイッチ４１とＦ型接栓からなるテレビ接続口３とを有し、下面には、図２（ｃ）に示すように、Ｆ型接栓からなる入力端子２と、送り端子４と、を有している。Ｆ型接栓とは、情報信号を受信する情報端末に一端を接続した同軸ケーブル線８の他端のアース導体が接続される接地部及び同軸ケーブル線８の他端の芯線が接続される導体部を設けているものである。
【００３８】
カバー部３１は、図２（ａ）に示すように、ボディブロック２１の前面に被着して前面にテレビ接続口３を前方に露出させる第１の開口３２と、後述するスライドスイッチ４１の操作部４２を露出させてスライド操作するための第２の開口３３と、を有している。そして、既存の埋込型配線器具の取付枠（図示せず）に取付可能であり、短手方向の各側面には、埋込型配線器具の器具取付孔（図示せず）に係止可能な取付爪３５が各々一対ずつ突設してあり、取付爪３５が器具取付孔に係止することによって取付枠に保持されるようにしてある。
【００３９】
スライドスイッチ４１は、図２（ａ）に示すように、操作部４２を有し、操作部４２をカバー部３１の第２の開口３３に沿ってスライド操作することで切替部６をチョークコイル１１とテレビ接続口３又は送り端子４のどちらか一方の出力端子に接続を切り替えるものである。
【００４０】
このテレビ用配線器具１は、送り配線用に使用するテレビ用配線器具である。このテレビ用配線器具１は、入力端子２からの電波を主管路として送り端子４から出力し、分岐路としてテレビ接続口３から出力する。テレビ接続口３は、ＢＳチューナ内臓テレビ２２１やテレビ等の映像機器が同軸ケーブル線８を介して接続される。また、送り端子４は、他の送り配線用のテレビ用配線器具の入力端子に同軸ケーブル線８を介して接続される。そして、主管路の端末には、送り配線端末用のテレビ用配線器具が接続される。
【００４１】
まず、このテレビ用配線器具１の回路構成について説明する。このものは、図１に示すように、入力端子２はチョークコイル１１の一端と第１のコンデンサ１２の一端に接続され、テレビ接続口３は第２のコンデンサ１３の一端と切替部６に接続され、送り端子４は第３のコンデンサ１４の一端と切替部６に接続され、チョークコイル１１の他端は切替部６に接続され、分岐回路５は第１のコンデンサ１２、第２のコンデンサ１３、第３のコンデンサ１４のそれぞれの他端に接続されている。
【００４２】
次に、このテレビ用配線器具１を図３に示すようなＢＳ放送受信システムに使用したときの動作について説明する。このシステムは、テレビ用配線器具１と、テレビ用配線器具１０１ｂと、同軸ケーブル線８と、ＢＳアンテナ２０１と、ＵＨＦアンテナ２０２と、ＶＨＦアンテナ２０３と、ＢＳ／ＵＶ混合器２１１と、ＵＶ混合器２１２と、を備えている。
【００４３】
また、このＢＳ放送受信システムでは、ＢＳアンテナ２０１を動作させるため直流電圧が必要である。ＢＳアンテナ２０１を動作させるための直流電圧は、テレビ用配線器具１又はテレビ用配線器具１０１ｂに接続されるＢＳチューナ内蔵テレビ２２１又はＢＳチューナより供給される。
【００４４】
次に、このＢＳ放送受信システムについて説明する。ＵＨＦアンテナ２０２及びＶＨＦアンテナ２０３で受信された電波は、同軸ケーブル線８を介してＵＶ混合器２１２で混合される。また、ＢＳアンテナ２０１で受信した電波は、同軸ケーブル線８を介してＢＳ／ＵＶ混合器２１１で前記ＵＶ混合器２１２で混合された電波と混合される。このＢＳ／ＵＶ混合器２１１で混合された電波は、同軸ケーブル線８を介してテレビ用配線器具１の入力端子２に入力される。入力端子２からの電波は、テレビ用配線器具１の分岐回路５により、テレビ接続口３には減衰を大きくして出力し、送り端子４には減衰を少なくして出力する。また、送り端子４より、テレビ用配線器具１０１ｂの入力端子１０２ｂに同軸ケーブル線８を介して接続されている。そして、テレビ用配線器具１のテレビ接続口３には、ＢＳチューナ内蔵テレビ２２１が接続されており、ＢＳアンテナ２０１、ＵＨＦアンテナ２０２、ＶＨＦアンテナ２０３のいずれか１つのアンテナが受信した電波を映像にして見ることができる。
【００４５】
なお、ＢＳ／ＵＶ混合器２１１は、直流電流通過経路を有している。従って、入力端子２とＢＳアンテナ２０１との間は、直流電流通過経路が形成されている。また、テレビ用配線器具１０１ｂは、従来の技術の図９で示したテレビ用配線器具と同じものなので説明は省略する。
【００４６】
テレビ接続口３にＢＳチューナ内臓テレビ２２１が同軸ケーブル線８を介して接続された場合のテレビ用配線器具１は、切替部６により入力端子２とテレビ接続口３の間に直流電流通過経路が形成されており、ＢＳチューナ内臓テレビ２２１より直流電圧をＢＳアンテナ２０１に供給している。このテレビ用配線器具１のテレビ接続口３に接続しているＢＳチューナ内臓テレビ２２１をテレビ用配線器具１０１ｂのテレビ接続口１０３ｂに接続を変えた場合は、テレビ用配線器具１０１ｂの入力端子１０２ｂとテレビ接続口１０３ｂの間に直流電流通過経路が形成されているため、テレビ用配線器具１のスライドスイッチ４１の操作部４２をスライド操作させて切替部６を切り替え、直流電流通過経路を入力端子２と送り端子４に形成することにより、直流電圧をＢＳチューナ内臓テレビ２２１からＢＳアンテナ２０１に供給することができる。
【００４７】
図８で説明した従来のテレビ用配線器具１０１ａでは、ＢＳチューナ内臓テレビ２２１を他のテレビ用配線器具に接続を変えた場合は、直流電流通過経路がなくなり、ＢＳアンテナ２０１に直流電圧が供給されないためＢＳアンテナ２０１が動作せずＢＳ放送が見られない場合があった。このためにテレビ用配線器具を所望の直流電流通過経路を有するテレビ用配線器具に付け替えなければならなかった。
【００４８】
しかし、本実施形態によれば、切替部６により直流電流通過経路を入力端子２とテレビ接続口３、又は、入力端子２と送り端子４のどちらかに接続を切り替えることができるので、テレビ用配線器具の施工後にＢＳチューナ内臓テレビ２２１やＢＳチューナを移動させてテレビ接続口の接続を変更してもテレビ用配線器具を付け替えることなく直流電流通過経路を変えることができる。
【００４９】
従って、ＢＳチューナ内臓テレビ２２１を他のテレビ用配線器具に接続を変えた場合でも、テレビ用配線器具を付け替えることなくＢＳ放送が見られるようになる。
【００５０】
さらに、テレビ用配線器具１の前面から操作可能なスライドスイッチ４１を設けることにより、スライドスイッチ４１の操作部４２をスライド操作することにより直流電流通過経路を入力端子２とテレビ接続口３との間、又は、入力端子２と送り端子４との間のどちらか一方に接続を簡単に切り替えることができる。
【００５１】
（第２の実施形態）
第２の実施形態のテレビ用配線器具１を、図４に基づいて説明する。このものは、第１の出力端子であるテレビ接続口３と、第２の出力端子である送り端子４と、電波処理回路である分岐回路５と、切替部６と、チョークコイル１１と、第１のコンデンサ１２と、第２のコンデンサ１３と、第３のコンデンサ１４と、ボディブロック２１と、カバー部３１と、表示部付スイッチカバー５１と、を備えている（図１、図３参照）。このテレビ用配線器具１は、第１の実施形態で説明したものとは、カバー部３１の構造を変え、そして、表示部付スイッチカバー５１を備えたものであり、これら以外の構成要素は同じなので説明は省略する。
【００５２】
カバー部３１は、図４（ｂ）に示すように、前面にテレビ接続口３を前方に露出させる第１の開口３２と、スライドスイッチ４１の操作部４２を露出させてスライド操作するための第２の開口３３と、後述する表示部付スイッチカバー５１の表示部５４を前方に表示させる第３の開口３４と、を有している。また、既存の埋込型配線器具の取付枠（図示せず）に取付可能であり、短手方向の各側面には、埋込型配線器具の器具取付孔（図示せず）に係止可能な取付爪３５が各々一対ずつ突設してあり、取付爪３５が器具取付孔に係止することによって取付枠に保持されるようにしてある。そして、カバー部３１は、図４（ｄ）に示すように、後述する表示部付スイッチカバー５１を装着したボディブロック２１の前面に被着する。
【００５３】
表示部付スイッチカバー５１は、図４（ｃ）に示すように、略中抜きされた四角形からなり、収納部５２と表示部５４とを有している。そして、図４（ｄ）に示すように、ボディブロック２１の前面に被着する。
【００５４】
収納部５２はスライドスイッチ４１の操作部４２を嵌め込めるように操作部４２の大きさと同等の開口５３を設けている。すなわち、収納部５２の開口５３は、図４（ｄ）に示すようなボディブロック２１に設けた操作部４２を嵌め込んで装着される。そして、表示部付スイッチカバー５１は、操作部４２のスライド操作に応じて動くようになっている。
【００５５】
表示部５４は、カバー部３１の第３の開口３４と同等の大きさを有している。そして、その表面には、図４（ｃ）、（ｄ）に示すように「電源供給端子」と記載されている。
【００５６】
次に、このテレビ用配線器具１の表示部付スイッチカバー５１の動作について説明する。
【００５７】
例えば、カバー部３１の第３の開口３４をボディブロック２１の入力端子２側に設ける。表示部付スイッチカバー５１は、表示部５４の「電源供給端子」と記載された文字が第３の開口３４から見える位置に来るように作られており、収納部５２の開口５３に、スライドスイッチ４１の操作部４２を嵌め込んで装着する。この場合のスライドスイッチ４１の操作部４２の位置は、切替部６が入力端子２とテレビ接続口３の間に直流電流通過経路を形成している位置になっている。次に、操作部４２をスライド操作させて切替部６が入力端子２と送り端子４の間に直流電流通過経路を形成するように接続を切り替えた場合、表示部付スイッチカバー５１は、操作部４２のスライド操作に応じて動き、表示部５４の「電源供給端子」が第３の開口３４から見えなくなるよになっている。
【００５８】
第３の開口３４から表示部５４の「電源供給端子」の文字が見える場合は、このテレビ用配線器具１のテレビ接続口３に接続されているＢＳチューナ又はＢＳチューナ内臓テレビ２２１より直流電源を供給していることを示す。また、第３の開口３４から表示部５４の「電源供給端子」の文字が見えなければ、このテレビ用配線器具１より直流電源の供給を行っていないことを示すものである。
【００５９】
従って、表示部付スイッチカバー５１をスライドスイッチ４１のスライド操作と連動させることにより、表示部付スイッチカバー５１の表示部５４の表示が切替部の動作に対応して切り替えることができ、直流電流通過経路の経路が容易にわかるようになる。
【００６０】
なお、表示部５４の表面に「電源供給端子」と記載されているが、記載する文字には特に指定はなく、また、文字でなくても記号等でもよい。また、第２の開口３３を設ける位置には特に指定はない。
【００６１】
（第３の実施形態）
第３の実施形態のテレビ用配線器具１は、第１の実施形態の図１で説明した回路構成と同じである。すなわち、このものは、テレビ接続口３を第１のテレビ接続口３、送り端子４を第２のテレビ接続口４、分岐回路５を分配回路５、としたものである。従って、このテレビ用配線器具１を、図１、図５に基づいて説明する。このものは、入力端子２と、第１の出力端子である第１のテレビ接続口３と、第２の出力端子である第２のテレビ接続口４と、電波処理回路である分配回路５と、切替部６と、チョークコイル１１と、第１のコンデンサ１２と、第２のコンデンサ１３と、第３のコンデンサ１４と、を備えている。
【００６２】
このテレビ用配線器具１の入力端子２は、チョークコイル１１の一端と第１のコンデンサ１２の一端に接続され、第１のテレビ接続口３は、第２のコンデンサ１３の一端と切替部６に接続され、第２のテレビ接続口４は、第３のコンデンサ１４の一端と切替部６に接続され、チョークコイル１１の他端は、切替部６に接続され、分配回路５は、第１のコンデンサ１２、第２のコンデンサ１３、第３のコンデンサ１４のそれぞれの他端に接続されている。
【００６３】
入力端子２は、アンテナが受信した電波を入力するための端子である。
【００６４】
第１のテレビ接続口３及び第２の出力端子４は、後述する分配回路５が処理した電波を出力するとともに、同軸ケーブル線８を介してテレビやＢＳチューナ内臓テレビ２２１等と接続するための端子である。
【００６５】
分配回路５は、入力端子２からの電波の大きさを１／２にして第１のテレビ接続口３及び第２のテレビ接続口４に出力するものである。
【００６６】
切替部６は、入力端子２と第１のテレビ接続口３、又は、入力端子２と第２のテレビ接続口４の間に直流電流通過経路を形成するために、チョークコイル１１と第１のテレビ接続口３又は第２のテレビ接続口４のどちらか一方に接続を切り替えるものである。
【００６７】
チョークコイル１１は、入力端子２と第１のテレビ接続口３、又は、入力端子２と第２のテレビ接続口４の間の直流電流通過経路に交流的なインピーダンスを設けることにより、アンテナからの電波が直流電流通過経路を介して第１のテレビ接続口３又は第２のテレビ接続口４に伝達しないようにしている。
【００６８】
このテレビ用配線器具１は、分配配線用のテレビ用配線器具である。このテレビ用配線器具１は、入力端子２からの電波を１／２の大きさにして、第１のテレビ接続口３、第２のテレビ接続口４に出力する。そして、第１のテレビ接続口３及び第２のテレビ接続口４には、ＢＳチューナ内臓テレビやテレビ等の映像機器が同軸ケーブル線８を介して接続される。
【００６９】
次に、このテレビ用配線器具１を図５に示すようなＢＳ放送受信システムに使用したときの動作について説明する。このシステムは、テレビ用配線器具１と、同軸ケーブル線８と、ＢＳアンテナ２０１と、ＵＨＦアンテナ２０２と、ＶＨＦアンテナ２０３と、ＢＳ／ＵＶ混合器２１１と、ＵＶ混合器２１２と、を備えている。
【００７０】
また、このＢＳ放送受信システムでは、ＢＳアンテナを動作させるため直流電圧が必要である。ＢＳアンテナ２０１を動作させるための直流電圧は、テレビ用配線器具１の第１のテレビ接続口３又は第２のテレビ接続口４に接続されるＢＳチューナ内蔵テレビ２２１又はＢＳチューナ（図示せず）より供給される。
【００７１】
次に、ＵＨＦアンテナ２０２及びＶＨＦアンテナ２０３で受信された電波は、同軸ケーブル線８を介してＵＶ混合器２１２で混合される。また、ＢＳアンテナ２０１で受信した電波は、同軸ケーブル線８を介してＢＳ／ＵＶ混合器２１１で前記ＵＶ混合器２１２で混合された電波と混合される。このＢＳ／ＵＶ混合器２１１で混合された電波は、同軸ケーブル線８を介してテレビ用配線器具１の入力端子２に入力される。入力端子２からの電波は、テレビ用配線器具１の分配回路５により、電波の大きさを１／２にして第１のテレビ接続口３及び第２のテレビ接続口４に出力する。そして、テレビ用配線器具１の第１のテレビ接続口３には、ＢＳチューナ内蔵テレビ２２１が接続されており、ＢＳアンテナ２０１、ＵＨＦアンテナ２０２、ＶＨＦアンテナ２０３のいずれか１つのアンテナが受信した電波を映像にして見ることができる。
【００７２】
なお、ＢＳ／ＵＶ混合器２１１は、直流電流通過経路を有している。従って、入力端子２とＢＳアンテナ２０１との間は、直流電流通過経路が形成されている。
【００７３】
図５に示すように、第１のテレビ接続口３にＢＳチューナ内臓テレビ２２１が同軸ケーブル線８を介して接続した場合のテレビ用配線器具１は、切替部６により、入力端子２と第１のテレビ接続口３の間に直流電流通過経路を形成しており、ＢＳチューナ内臓テレビ２２１より直流電圧をＢＳアンテナ２０１に供給している。このＢＳチューナ内臓テレビ２２１を第１のテレビ接続口３から、第２のテレビ接続口４に接続を変えた場合は、テレビ用配線器具１の切替部６を切り替えることにより直流電流通過経路を入力端子２と第２のテレビ接続口４との間に形成を切り替えることができ、直流電圧をＢＳチューナ内臓テレビ２２１からＢＳアンテナ２０１に供給することができる。
【００７４】
図１０で説明した従来のテレビ用配線器具１０１ｃでは、ＢＳチューナ内臓テレビ２２１を第１のテレビ接続口１０３ｃから、第２のテレビ接続口１０４ｃに接続を変えた場合は、直流電流通過経路がなくなり、ＢＳアンテナ２０１に直流電圧が供給されないためＢＳアンテナ２０１が動作せずＢＳ放送が見られない場合があった。このために、第２のテレビ接続口１０４ｃに接続されている同軸ケーブル線８を直流電流通過経路が形成されている第１のテレビ接続口１０３ｃに同軸ケーブル線８をつなぎかえる必要があった。
【００７５】
しかし、本実施形態によれば、切替部６により直流電流通過経路を入力端子２と第１のテレビ接続口３、又は、入力端子２と第２のテレビ接続口４のどちらかに接続を切り替えることができるのでテレビ用配線器具１の施工後にＢＳチューナ内臓テレビ２２１やＢＳチューナを移動させてテレビ接続口の接続を変更しても第２のテレビ接続口４に接続されている同軸ケーブル線８を直流電流通過経路が形成されている第１のテレビ接続口３に同軸ケーブル線８をつなぎかえる必要がなくなった。
【００７６】
従って、ＢＳチューナ内臓テレビ２２１を他のテレビ用配線器具に接続を変えた場合でも、テレビ用配線器具１の同軸ケーブル線８をつなぎ変えることなくＢＳ放送が見られるようになる。
【００７７】
（第４の実施形態）
第４の実施形態のテレビ用配線器具１を、図６に基づいて説明する。このものは、入力端子２と、テレビ接続口３と、送り端子４と、分岐回路５と、切替部６と、チョークコイル１１と、第１のコンデンサ１２と、第２のコンデンサ１３と、第３のコンデンサ１４と、電圧検出部１５と、を備えている。このテレビ用配線器具１は、第１の実施形態の図１で説明した回路構成に電圧検出部１５を加え、そして、切替部６に新たな機能を設けたものであり、これら以外の構成要素は同じなので説明は省略する。
【００７８】
切替部６は、例えば、リレーのようなの電気信号の断続に伴って別の回路の接点を開閉する装置からなり、後述する電圧検出部１５の検出の有無に応じて、入力端子２とテレビ接続口３、又は、入力端子２と送り端子４の間に直流電流通過経路を作るために、チョークコイル１１とテレビ接続口３又は送り端子４のどちらか一方に接続を切り替えるものである。
【００７９】
電圧検出部１５は、テレビ接続口３又は送り端子４のどちらか一方の出力端子の直流電圧の有無を検出するものである。
【００８０】
例えば、電圧検出部１５がテレビ接続口３の直流電圧の有無（例えば、約１５Ｖ）を検出する場合、テレビ接続口３に直流電圧を検出しなければ、入力端子２と送り端子４の間に直流電流通過経路ができるように切替部６を切り替える。また、テレビ接続口３に直流電圧を検出すれば、入力端子２とテレビ接続口３の間に直流電流通過経路ができるように切替部６を切り替える。
【００８１】
従って、電圧検出部１５がテレビ接続口３の直流電圧の有無を検出し、電圧検出部１５が検出した直流電圧の有無に応じて入力端子２とテレビ接続口３、又は、入力端子２と送り端子４の間のどちらか一方に直流電流通過経路が形成するように接続を切り替えることにより、自動で直流電流通過経路を切り替えることができる。
【００８２】
なお、電圧検出部１５が送り端子４の直流電圧の有無を検出してもよく、どちらの直流電圧の有無を検出するかは適宜決めればよい。
【００８３】
なお、このテレビ用配線器具１は、２つの出力端子のうちのどちらか一方の直流電圧の有無を検出して、直流電流通過経路を切り替えるものであり、分岐回路５を分配回路５、テレビ接続口３を第１のテレビ接続口３、送り端子４を第２のテレビ接続口４、に置き換えても同様の作用効果を有するものである。
【００８４】
（第５の実施形態）
第５の実施形態のテレビ用配線器具１を、図７に基づいて説明する。このものは、入力端子２と、テレビ接続口３と、送り端子４と、分岐回路５と、切替部６と、チョークコイル１１と、第１のコンデンサ１２と、第２のコンデンサ１３と、第３のコンデンサ１４と、電圧検出部１５と、を備えている。このテレビ用配線器具１は、第４の実施形態の電圧検出部１５がテレビ接続口３と送り端子４の両方の端子の直流電圧を検出できるようにしたものであり、これ以外の構成要素は同じなので説明は省略する。
【００８５】
電圧検出部１５は、テレビ接続口３と送り端子４の出力端子との両方の直流電圧の有無を検出するものである。
【００８６】
例えば、電圧検出部１５が送り端子４の直流電圧（例えば、１５Ｖ）を検出している場合、及び、テレビ接続口３と送り端子４の両方の端子に直流電圧を検出していない場合、切替部６は、入力端子２と送り端子４の間に直流電流通過経路が形成するように接続を切り替える。また、電圧検出部１５が送り端子４の直流電圧を検出してない場合、及び、テレビ接続口３の直流電圧を検出している場合、切替部６は、入力端子２とテレビ接続口３の間に直流電流通過経路が形成するように接続を切り替える。
【００８７】
また、電圧検出部１５がテレビ接続口３の直流電圧（例えば、１５Ｖ）を検出している場合、及び、テレビ接続口３と送り端子４の両方の端子に直流電圧を検出していない場合、切替部６は、入力端子２とテレビ接続口３の間に直流電流通過経路が形成するように接続を切り替える。また、電圧検出部１５がテレビ接続口３の直流電圧を検出してない場合、及び、送り端子４の直流電圧を検出している場合、切替部６は、入力端子２と送り端子４の間に直流電流通過経路が形成するように接続を切り替える。
【００８８】
また、テレビ接続口３及び送り端子４の出力端子の両方の端子に直流電圧（例えば、１５Ｖ）がある場合の直流電流通過経路は、入力端子２とテレビ接続口３の間又は入力端子２と送り端子４の間のどちらに形成されてもよく、どちらに、直流電流通過経路を形成するかは、適宜決めればよい。
【００８９】
電圧検出部１５がテレビ接続口３又は送り端子４のどちらか一方の直流電圧の有無を検出する場合、直流電圧を供給する端子を変えたときは、テレビ接続口３に直流電圧が検出する場合と検出しない場合の２通り、送り端子４に直流直流電圧が検出する場合と検出しない場合の２通り、ある。従って、切替部６により、４通りの組み合わせに対して直流電流通過経路の接続の切り替えなければならない。この切替部６の切り替え動作の瞬間は、ＢＳアンテナの電源供給がなくなり、ＢＳアンテナ２０１が動作しなくなる。
【００９０】
しかし、本実施形態によれば、電圧検出部１５が送り端子４の直流電圧を検出している場合、テレビ接続口３と送り端子４の両方の直流電圧を検出していない場合、電圧検出部１５テレビ接続口３の直流電圧を検出している場合、の３通りの切り替え動作ですむようになる。
【００９１】
従って、ＢＳチューナ内臓テレビ２２１の接続を変えた場合の切替部６の切り替えにより、電圧検出部１５がテレビ接続口３又は送り端子４のどちらか一方の直流電圧の有無を検出し、直流電流通過経路の接続を切り替えた場合に比べて、切替部６の切り替え動作によるＢＳアンテナ２０１への電源供給がなくなることが少なくなるために、ＢＳアンテナ２０１が動作しなくなることが少なくなる。
【００９２】
なお、このテレビ用配線器具１は、２つの出力端子の両方の直流電圧の有無を検出して、直流電流通過経路を切り替えるものであり、分岐回路５を分配回路５、テレビ接続口３を第１のテレビ接続口３、送り端子４を第２のテレビ接続口４、に置き換えても同様の作用効果を有する。
【００９３】
【発明の効果】
請求項１記載の発明にあっては、テレビ用配線器具は、切替部により直流電流通過経路を入力端子と第１の出力端子、又は、入力端子と第２の出力端子のどちらかに接続を切り替えることができるのでＢＳチューナ内臓テレビやテレビ等を他のテレビ用配線器具に接続を変えた場合でも、テレビ用配線器具を付け替えたり、同軸ケーブル線を取り替えたりすることなくＢＳ放送が見られるようになる。
【００９４】
請求項２記載の発明にあっては、請求項１記載の効果に加え、分岐回路を有するテレビ用配線器具は、切替部により直流電流通過経路を入力端子とテレビ接続口、又は、入力端子と送り端子のどちらかに接続を切り替えることができる。
【００９５】
請求項３記載の発明にあっては、請求項１記載の効果に加え、分配回路を有するテレビ用配線器具は、切替部により直流電流通過経路を入力端子と第１の出力端子、又は、入力端子と第２の出力端子のどちらかに接続を切り替えることができる。
【００９６】
請求項４記載の発明にあっては、請求項２記載の効果に加え、テレビ用配線器具の前面から操作可能なスライドスイッチを設けることにより、より簡単に直流電流通過経路を変更できる。
【００９７】
請求項５記載の発明にあっては、請求項４の効果に加え、スライドスイッチのスライド操作と表示部の表示を連動させて表示することにより、切替部が入力端子と第１の出力端子又は第２の出力端子のどちらに直流電流通過経路を形成しているか容易にわかるようになる。
【００９８】
請求項６記載の発明にあっては、請求項１乃至請求項３いずれかに記載の効果に加え、電圧検出部が第１の出力端子の直流電圧の有無を検出し、電圧検出部が検出した直流電圧の有無に応じて入力端子と第１の出力端子又は入力端子と第２の出力端子の間のどちらか一方に直流電流通過経路ができるように接続を切り替えることにより、自動で直流電流通過経路を切り替えることができる。
【００９９】
請求項７記載の発明にあっては、請求項１乃至請求項３いずれかに記載の効果に加え、電圧検出部が第１の出力端子と第２の出力端子の有無を検出し、電圧検出部が検出した直流電圧の有無に応じて入力端子と第１の出力端子又は入力端子と第２の出力端子の間のどちらか一方に直流電流通過経路ができるように接続を切り替えることにより、自動で直流電流通過経路を切り替えることができる。
【０１００】
さらに、ＢＳチューナ内臓テレビの接続を変えた場合の切替部の切り替えにより、電圧検出部が第１の出力端子又は第２の出力端子のどちらか一方の直流電圧の有無を検出し、直流電流通過経路の接続を切り替えた場合に比べて、切替部の切り替え動作によるＢＳアンテナへの電源供給がなくなることが少なくなるために、ＢＳアンテナが動作しなくなることが少なくなる。
【図面の簡単な説明】
【図１】第１の実施形態、第２の実施形態、第３の実施形態のブロック図である。
【図２】（ａ）第１の実施形態の正面図、（ｂ）同上のボディブロックの前面図、（ｃ）同上の下面図、（ｄ）同上の側面図である。
【図３】第１の実施形態を使用したＢＳ方送受信システム図である。
【図４】（ａ）第２の実施形態の正面図、（ｂ）同上のカバ−部の正面図、（ｃ）表示部付スイッチカバーの正面図、（ｄ）ボディブロックに表示部付スイッチカバーを装着した場合の正面図である。
【図５】第３の実施形態を使用したＢＳ方送受信システム図である。
【図６】第４の実施形態のブロック図である。
【図７】第５の実施形態のブロック図である。
【図８】（ａ）従来の入力端子とテレビ接続口との間に直流電流通過経路を有する送り配線用のテレビ用配線器具のブロック図、（ｂ）同上の入力端子と送り端子との間に直流電流通過経路を有する送り配線用のテレビ用配線器具のブロック図である。
【図９】送り配線端末用の従来のブロック図である。
【図１０】（ａ）従来の入力端子と第１のテレビ接続口との間に直流電流通過経路を有する分配配線用のテレビ用配線器具のブロック図、（ｂ）同上の入力端子と第２のテレビ接続口との間に直流電流通過経路を有する分配配線用のテレビ用配線器具のブロック図である。
【図１１】従来の送り配線用のテレビ用配線器具を使用したＢＳ方送受信システム図である。
【図１２】従来の分配配線用のテレビ用配線器具を使用したＢＳ方送受信システム図である。
【図１３】特開２００２−２２２６８０号公報に記載の従来例である。
【符号の説明】
１      テレビ用配線器具
２      入力端子
３      第１の出力端子
４      第２の出力端子
５      電波処理回路
６      切替部
１５    電圧検出部
２１    ボディブロック
４１    スライドスイッチ
４２    操作部
５１    表示部付スイッチカバー
２０１  ＢＳアンテナ
【図１】
2004336176.tif 000003
【図２】
2004336176.tif 000004
【図３】
2004336176.tif 000005
【図４】
2004336176.tif 000006
【図５】
2004336176.tif 000007
【図６】
2004336176.tif 000008
【図７】
2004336176.tif 000009
【図８】
2004336176.tif 000010
【図９】
2004336176.tif 000011
【図１０】
2004336176.tif 000012
【図１１】
2004336176.tif 000013
【図１２】
2004336176.tif 000014
【図１３】
2004336176.tif 000015